(57)【要約】【課題】立体像を利用した識別体において、偽造が困難であり、また識別性が高いものを提供する。【解決手段】コレステリック液晶層１０３にストライプ状に右目用のホログラムを構成するホログラム形成層のパターン１０４ａと左目用のホログラムを構成するホログラム形成層のパターン１０４ｂを設ける。そして、パターン１０４ａからの反射光がλ／２板のパターン１０１ａを透過し、パターン１０４ｂからの反射光がλ／２板のパターン１０１ｂを透過しない配置とする。右目の前に右円偏光フィルタを置き、左目の前に左円偏光フィルタを置いて、識別媒体１００を観察すると、パターン１０４ａが右目で見え、パターン１０４ｂが左目で見え、立体像が観察される。【選択図】図２
2011102843.tif 000002
【特許請求の範囲】
【請求項１】
ホログラムを表示するためのホログラム層を有するコレステリック液晶層と、
前記コレステリック液晶層に積層され、前記コレステリック液晶層を覆う第１の部分と覆わない第２の部分とが周期的に繰り返されたパターンを有するλ／２板として機能する層と
を備え、
前記ホログラム層は、前記第１の部分に対応した複数の第１の領域と前記第２の部分に対応した複数の第２の領域とを有し、
前記複数の第１の領域により第１のホログラム像が構成され、
前記複数の第２の領域により第２のホログラム像が構成されていることを特徴とする識別媒体。
【請求項２】
前記第１のホログラム像が左右の目の一方の目用のホログラム像であり、
前記第２のホログラム像が左右の目の他方の目用のホログラム像であり、
前記第１のホログラム像と前記第２のホログラム像とにより立体像が構成されていることを特徴とする請求項１に記載の識別媒体。
【請求項３】
前記第１のホログラム像および前記第２のホログラム像が、当該識別媒体を見る角度に応じて複数用意されていることを特徴とする請求項１または２に記載の識別媒体。
【請求項４】
前記第１の領域と前記第２の領域がストライプ状のパターンまたは市松模様を構成していることを特徴とする請求項１〜３のいずれか一項に記載の識別媒体。
【請求項５】
前記第１のホログラム像は、前記左右の目の一方で結像し、
更に、前記第１のホログラム像からの反射光と同じ旋回方向の円偏光を当該識別媒体の外部に反射し、且つ、前記左右の目の一方で結像せず他方で結像するダミーホログラムが前記コレステリック液晶層に形成されていることを特徴とする請求項２〜４のいずれか一項に記載の識別媒体。
【請求項６】
前記第１のホログラム像は、前記左右の目の一方で結像し、
更に、前記第１のホログラム像からの反射光と逆の旋回方向の円偏光を当該識別媒体の外部に反射し、且つ、前記左右の目の一方で結像し他方で結像しないダミーホログラムが前記コレステリック液晶層に形成されていることを特徴とする請求項２〜４のいずれか一項に記載の識別媒体。
【請求項７】
請求項２〜６のいずれか一項に記載の識別媒体を第１の旋回方向を透過し、それとは逆旋回方向の第２の旋回方向を遮断する光学フィルタを介して、左右の目の一方の目で観察し、且つ、前記第２の旋回方向を透過し、前記第１の旋回方向を遮断する光学フィルタを介して、左右の目の他方の目で観察することを特徴とする識別媒体の識別方法。
【発明の詳細な説明】
【技術分野】
【０００１】
本発明は、識別媒体およびその識別方法に関する。
【背景技術】
【０００２】
引用文献１には、ホログラムを利用して立体像を表示する識別媒体が記載されている。引用文献２には、左右で異なる円偏光を反射するコレステリック液晶層を積層し、それぞれのコレステリック液晶層のパターンを左目用と右目用とする識別媒体が記載されている。
【先行技術文献】
【特許文献】
【０００３】
【特許文献１】特開平５−２１４８号公報
【特許文献２】特開２０００−２５５２００号公報
【発明の開示】
【発明が解決しようとする課題】
【０００４】
引用文献１に記載の構成では、ホログラムを利用した視差のある画像を左右の目で別々に視認させ、それにより立体像を観察させている。引用文献１では、ディスプレイの材質については触れられておらず、回折格子で回折される波長は、限定されていない。そのため、特定の波長でない自然光の全ての波長が回折格子で回折され、ホログラムの生成に寄与する。この場合、多数の波長のホログラム像が生成されることになり、それらが重なって見えるので、ホログラム像のボケや滲みが発生する。このため、観察される立体像の鮮明さが損なわれやすい。
【０００５】
また、回折格子の表面にアルミ蒸着した一般的なエンボスホログラムのように、特に反射光の波長が限定されない材料に対するエンボス加工により形成されるホログラムは、エンボス加工の状態が写し取られやすく、エンボス加工の素となる型がなくても、複製が製造し易い。つまり、偽造品を製造し易く、耐偽造性が低い。
【０００６】
引用文献２に記載の構成では、左目用の像と右目用の像とが、それぞれコレステリック液晶層のパターンによって構成されているので、特定の中心波長の光を反射するコレステリック液晶の性質から、鮮明な像が得られ易い。しかしながら、コレステリック液晶層のパターンによって構成された像は、複製が容易であり、同様のものを偽造しやすい。また、識別に利用される像も微細な識別性の高いものが得られず、単調な大雑把なものとならざるを得ない。このため、真贋判定用の識別媒体としては、適当でない。
【０００７】
このような背景において、本発明は、シンプルな構造でありながら、偽造が困難であり、また識別性が高い識別媒体を提供することを目的とする。
【課題を解決するための手段】
【０００８】
請求項１に記載の発明は、ホログラムを表示するためのホログラム層を有するコレステリック液晶層と、前記コレステリック液晶層に積層され、前記コレステリック液晶層を覆う第１の部分と覆わない第２の部分とが周期的に繰り返されたパターンを有するλ／２板として機能する層とを備え、前記ホログラム層は、前記第１の部分に対応した複数の第１の領域と前記第２の部分に対応した複数の第２の領域とを有し、前記複数の第１の領域により第１のホログラム像が構成され、前記複数の第２の領域により第２のホログラム像が構成されていることを特徴とする識別媒体である。
【０００９】
請求項１に記載の発明によれば、コレステリック液晶に形成されたホログラム層の第１の領域からの反射光は、λ／２板として機能する層のパターンを通過し、観察される。コレステリック液晶に形成されたホログラム層の第２の領域からの反射光は、λ／２板として機能する層のパターンを通過せずに観察される。コレステリック液晶からの反射光は、特定の旋回方向を有する円偏光であり、λ／２板を通過することで、旋回方向が反転する。したがって、上記第１の領域からの反射光と第２の領域からの反射光とは、旋回方法が逆の円偏光となる。よって、円偏光フィルタによって、第１の像と第２の像を分離して観察することができ、このことを利用した識別が行える。
【００１０】
コレステリック液晶層に形成されたホログラム加工から得られるホログラムは、コレステリック液晶が特定の中心波長を選択的に反射する性質を持っていることから、感光材料を用いた複製が容易ではない。このため、高い耐偽造性が得られる。
【００１１】
また、ホログラムにより構成される像は、微細な精緻なものが可能であり、更に加えて上述したようにコレステリック液晶からは特定の中心波長の光が反射されるので、余分な波長の干渉が小さく、鮮明なホログラム像が観察される。このため、高い識別性を得ることができる。なお、コレステリック液晶層とλ／２板として機能する層とは、観察する方向から見て、重なっていればよく、両者は接していてもよいし、接していなくてもよい。
【００１２】
請求項２に記載の発明は、請求項１に記載の発明において、前記第１のホログラム像が左右の目の一方の目用のホログラム像であり、前記第２のホログラム像が左右の目の他方の目用のホログラム像であり、前記第１のホログラム像と前記第２のホログラム像とにより立体像が構成されていることを特徴とする。
【００１３】
請求項２に記載の発明によれば、本発明の識別媒体を左右の目が逆旋回方向の円偏光を選択的に見えるように光学フィルタを介して観察すると、一方の目で第１の領域からの反射光が選択的に見え、他方の目で第２の領域からの反射光が選択的に見える。ここで、第１の領域からは一方の目用のホログラム像を構成する反射光が得られ、第２の領域からは他方の目用のホログラム像を構成する反射光が得られるので、右目で右目用のホログラム像が選択的に見え、左目で左目用のホログラム像が選択的に見える。つまり、立体像を構成する右目用のホログラム像が右目で視認され、立体像を構成する左目用のホログラム像が左目で視認される。この結果、立体像が認識される。
【００１４】
請求項３に記載の発明は、請求項１または２に記載の発明において、前記第１のホログラム像および前記第２のホログラム像が、当該識別媒体を見る角度に応じて複数用意されていることを特徴とする。
【００１５】
請求項４に記載の発明は、請求項１〜３のいずれか一項に記載の発明において、前記第１の領域と前記第２の領域がストライプ状のパターンまたは市松模様を構成していることを特徴とする。
【００１６】
請求項５に記載の発明は、請求項２〜４のいずれか一項に記載の発明において、前記第１のホログラム像は、前記左右の目の一方で結像し、更に、前記第１のホログラム像からの反射光と同じ旋回方向の円偏光を当該識別媒体の外部に反射し、且つ、前記左右の目の一方で結像せず他方で結像するダミーホログラムが前記コレステリック液晶層に形成されていることを特徴とする。
【００１７】
請求項６に記載の発明は、請求項２〜４のいずれか一項に記載の発明において、前記第１のホログラム像は、前記左右の目の一方で結像し、更に、前記第１のホログラム像からの反射光と逆の旋回方向の円偏光を当該識別媒体の外部に反射し、且つ、前記左右の目の一方で結像し他方で結像しないダミーホログラムが前記コレステリック液晶層に形成されていることを特徴とする。
【００１８】
請求項７に記載の発明は、請求項２〜６のいずれか一項に記載の識別媒体を第１の旋回方向を透過し、それとは逆旋回方向の第２の旋回方向を遮断する光学フィルタを介して、左右の目の一方の目で観察し、且つ、前記第２の旋回方向を透過し、前記第１の旋回方向を遮断する光学フィルタを介して、左右の目の他方の目で観察することを特徴とする識別媒体の識別方法である。
【発明の効果】
【００１９】
請求項１に記載の発明によれば、シンプルな構造でありながら、偽造が困難であり、また識別性が高い識別媒体が提供される。
【００２０】
請求項２に記載の発明によれば、立体像を識別に利用できる識別媒体が提供される。
【００２１】
請求項３に記載の発明によれば、見る角度によって像が変化するあるいは切り替わる識別媒体が提供される。
【００２２】
請求項４に記載の発明によれば、ストライプ状または市松模様のパターン配置により、第１の領域と第２の領域が構成される。
【００２３】
請求項５または６に記載の発明によれば、光学フィルタなしで識別媒体を見た際に、左右のホログラム像がぶれて見える現象が緩和される。
【００２４】
請求項７に記載の発明によれば、立体像を識別に利用可能な識別媒体の識別方法が提供される。
【図面の簡単な説明】
【００２５】
【図１】実施形態の識別媒体の断面構造を示す概念図である。
【図２】実施形態の識別媒体を観察する仕組みを示す概念図である。
【図３】実施形態の識別媒体の見え方を示す概念図である。
【図４】実施形態の識別媒体の断面構造を示す概念図である。
【図５】実施形態のλ／２板のパターンの構造の一例を示す概念図である。
【図６】実施形態の識別媒体の断面構造を示す概念図である。
【図７】実施形態の識別媒体の断面構造を示す概念図である。
【図８】実施形態の識別媒体の見え方を示す概念図である。
【発明を実施するための形態】
【００２６】
（識別媒体の構成）
図１には、発明を利用した識別媒体１００が示されている。識別媒体１００は、観察が行われる側から、λ／２板（１／２波長板）のパターン層１０１、透明基板１０２、コレステリック液晶層１０３、コレステリック液晶層１０３に形成されたエンボス構造により構成されたホログラム形成層(ホログラム干渉層)１０４、粘着層１０５と積層された構造を有している。
【００２７】
λ／２板のパターン層１０１は、透明基板１０２を基材として形成されたλ／２板として機能する樹脂層のパターンである。λ／２板は、複屈折性を有する材料を用いて構成され、直線偏光の光を遅相軸と４５°の角度で入射させると、偏光方向が９０°回転した出射光が得られ、また円偏光を入射させると、旋回方向が反転し、逆旋回方向の円偏光が出射される光学特性を有する。
【００２８】
λ／２板のパターン層１０１は、３００μｍ幅の線状のパターン１０１ａが３００μｍの間隔を有して複数が配置されたストライプ状のパターンとされている。このパターンの間隔は、１０μｍ〜１ｍｍ程度の範囲から選択された値とすることが好ましい。λ／２板のパターン層１０１は、複屈折性によりλ／２板として機能する材質であれば利用でき、例えば液晶によって構成することもできる。
【００２９】
透明基板１０２は、識別に用いる光を透過し、且つ、透過光の偏光特性を乱さない材質（例えば、ＴＡＣ（トリアセチルセルロール））のフィルムにより構成されている。コレステリック液晶層１０３は、左旋回方向の緑の中心波長を有する円偏光を反射するコレステリック液晶の層である。コレステリック液晶層１０３の反射光の旋回方向は、右旋回方向であってよく、反射光の中心波長も他の色の波長であってもよい。
【００３０】
ホログラム形成層１０４は、ホログラム型をコレステリック液晶層１０３に押し付けることで形成された凹凸構造(エンボス構造）により構成されている。ホログラム形成層１０４は、コレステリック液晶層１０３から図の上方向に反射される円偏光を干渉させ、ホログラム像を形成する。
【００３１】
ホログラム形成層１０４は、線状のパターンが交互にストライプ状に配置された複数のパターン１０４ａと１０４ｂにより構成されている。パターン１０４ａは、立体像の右目用の像を構成し、パターン１０４ｂは、立体像の左目用の像を構成している。すなわち、パターン１０４ａを左目で視認せず右目で視認し、パターン１０４ｂを右目で視認せず左目で視認することで、立体像が認識されるように、ホログラムのパターン１０４ａと１０４ｂが形成されている。
【００３２】
また、パターン１０１ａと重なる位置にパターン１０４ａが位置し、パターン１０１ａが存在しない位置にパターン１０４ｂが位置するように、各パターンの位置関係が設定されている。すなわち、識別媒体１００をλ／２板のパターン層１０１の側から見ると、線状のパターン１０１ａによって隠された位置にホログラムのパターン１０４ａがあり、線状のパターン１０１ａの隙間の部分からホログラムのパターン１０４ｂが見える位置関係とされている。
【００３３】
粘着層１０５は、黒や濃い色の顔料や染料が混ぜられた粘着材料により構成されており、識別対象となる物品に識別媒体１００を貼り付ける機能を有する。粘着層は、粘着剤でなく接着剤により構成されていてもよい。また、光透過性を有していても良い。光透過性を有している場合、貼り付けた対象物の表面が識別媒体１００を介して見える形態となる。
【００３４】
なお、図１では、λ／２板のパターン層１０１が露出しているが、その上を光の偏光特性を乱さない光透過性の材質のフィルムで覆い、保護層を設けた構造としてもよい。また、物品に貼り付ける前の段階で、粘着層１０５の露出面には、離型紙が貼り付けられているが、図では、図示省略されている。また、図１に示す構成において、パターン１０４ａによって左目用の像を構成し、パターン１０４ｂによって右目用の像を構成してもよい。
【００３５】
（識別媒体の製造方法）
以下、識別媒体１００の製造方法の一例を説明する。まず透明基板１０２を用意し、その一面にλ／２板のパターン層１０１を形成する。λ／２板のパターン層１０１の形成は、ストライプ状に形成されたλ／２板として機能する光透過性の樹脂フィルムを転写する方法で形成される。λ／２板のパターン層１０１を形成する方法としては、液晶材料の印刷による方法、液晶材料に光線を当てて描画を行い、部分的に複屈折性を付与する方法等を利用することもできる。また、λ／２板のパターン層１０１は、液晶以外に位相差のある膜を転写することで構成してもよい。
【００３６】
透明基板１０２にλ／２板のパターン層１０１を形成したら、その反対の側の面にコレステリック液晶層１０３を形成する。透明基板１０２のコレステリック液晶層１０３に接する側の面には予め配向処理が施されており、その上にコレステリック液晶層１０３を成長させる。コレステリック液晶層１０３を形成したら、その露出した面にホログラム型を押し付け、ホログラム形成層１０４を形成する。次に粘着層１０５を形成し、図１に示す識別媒体１００を得る。
【００３７】
（識別機能）
図２は、光学フィルタを介して識別媒体１００を介して観察している状態を示す概念図である。図３は、識別媒体１００の見え方を示す概念図である。図２には、右旋回円偏光を透過し、左旋回円偏光を遮断する右円偏光フィルタ２０３を介して、右目２０１で識別媒体１００を観察し、同時に、左旋回円偏光を透過し、右旋回円偏光を遮断する左円偏光フィルタ２０４を介して、左目２０２で識別媒体１００を観察する様子が示されている。
【００３８】
図２に示す状態において、ホログラム形成層１０４のパターン１０４ａからの反射光は、左旋回円偏光であるが、λ／２λ板１０１の線状のパターン１０１ａを透過する際に、右旋回円偏光となり、右円偏光フィルタ２０３を透過し、且つ、左円偏光フィルタ２０４は透過せず、右目２０１のみで選択的に視認される。
【００３９】
ホログラム形成層１０４のパターン１０４ｂからの反射光は、左旋回円偏光であり、λ／２λ板１０１の線状のパターン１０１ａの隙間を透過するので、そのまま左旋回円偏光のままであり、右円偏光フィルタ２０３で遮断され、右目２０１では視認されないが、左円偏光フィルタ２０４を透過するので、左目のみで選択的に視認される。
【００４０】
こうして、右目２０１が選択的にパターン１０４ａを視認し、左目２０２が選択的にパターン１０４ｂを視認する。ここで、パターン１０４ａは、立体像の右目用の像を構成し、パターン１０４ｂは、立体像の左目用の像を構成しているので、右目２０１で右目用の像を視認し、左目２０２が左目用の像を同時に視認することになる。この結果、視覚中枢において、立体像が合成され、それが認識される。
【００４１】
図３（Ａ）には、光学フィルタを介さずに識別媒体１００を直視した場合の見え方が示されている。この例では、「Ｎ」という文字がホログラムのパターン１０４ａと１０４ｂ（図１参照）により構成されている場合が示されている。図３（Ａ）では、左右の目でホログラムのパターン１０４ａと１０４ｂとが同時に見えるので、視差の分ずれた左右の目用の像が左右の目で同時に見え、２重にぶれた「Ｎ」の文字が見える。
【００４２】
図３（Ｂ）には、図２に示すのと同じように右目の前に右円偏光フィルタを位置させ、左目の前に左円偏光フィルタを位置させた状態で、識別媒体１００を観察した場合の見え方が示されている。この場合、図２に関連して説明したように、右目でホログラムのパターン１０４ａが選択的に視認され、左目でホログラムのパターン１０４ｂが選択的に視認される。そして、パターン１０４ａにより構成されるホログラム像とパターン１０４ｂにより構成されるホログラム像が視覚中枢で合成され、文字「Ｎ」の立体像３００が認識される。なお、図示した表示は、一例であり、数字や他の文字であってもよい。また、物品を模した図柄や各種のデザインであってもよい。
【００４３】
（優位性）
コレステリック液晶からの反射光を利用したホログラムは、偽造が困難であるという優位性がある。すなわち、普通の光透過性の材料に形成され、アルミ蒸着などの反射層のあるエンボスホログラム加工は、感光材料がその上に密着させた状態で、紫外域のレーザ光などによるこの感光材料の感光を行うことで、ホログラム加工を構成するエンボス構造（凹凸構造）を比較的容易に写し取ることができる。一方、コレステリック液晶層は、特定の中心波長の光を選択的に反射する性質を持っている。よって、上述した複製の技術では、その反射スペクトル特性に合った感光特性の感光材料が必要とされる。しかしながら、コレステリック液晶層の反射特性に合った感光特性の感光材料を用意するのは、困難である。このため、コレステリック液晶層に設けられたホログラム加工の複製は、原版を入手しない限り困難となる。
【００４４】
また、立体像の場合は、左右の目の視差を利用しているので、微妙な誤差が立体像の再現性に影響する。このため、本実施形態に示す識別媒体をリバースエンジニアリングにより再現するのは、より困難となる。
【００４５】
また、上述したようにコレステリック液晶層は、特定の波長を中心した反射光を反射する（言い換えると、特定の色の反射光を反射し、他の色成分は透過する）。このため、鮮明な干渉像（ホログラム像）を観察することができる。通常の光透過性の材料に形成され、アルミ蒸着などの反射層のあるエンボスホログラムは、自然光の全波長の光が異なった角度に回折するので、本来は認識させたくない色の干渉光も視認されてしまう。これは、像のボケや滲みの要因となる。本発明を利用した場合、上述した特定の中心波長の光を反射するというコレステリック液晶層の光学特性により、上述した不要な波長の干渉の発生を抑えることができる。このため、ボケや滲みのない鮮明な立体像を得ることができる。また、ホログラムを用いて構成した像は、微細な細かい部分を再現できる優位性がある。これらの理由により、立体像を利用した識別媒体において、高い識別性を得ることができる。
【００４６】
（他の構成１）
図４は、他の実施形態の識別媒体を示す概念図である。図４には、識別媒体４００が示されている。識別媒体４００において、図１の識別媒体１００と同じ符号の部分は、図１に関連して説明した内容と同じである。
【００４７】
識別媒体４００が識別媒体１００（図１参照）と異なるのは、ホログラム形成層の位置である。識別媒体４００では、コレステリック液晶層１０３の透明基板１０２に側にホログラム形成層１０６が形成されている。この例では、透明基板１０２のコレステリック液晶層１０３に接する側の面にホログラム型となる凹凸構造が形成されており、その面にコレステリック液晶層１０３を形成した際に、この凹凸構造に倣ってコレステリック液晶層１０３の界面に凹凸構造が形成され、それがホログラム形成層として機能する。なお、ホログラム型となる凹凸構造と配向処理の凹凸構造とは、寸法が異なるので、透明基板１０２の同じ面に同時に形成することができる。
【００４８】
ホログラム形成層１０６には、右目用のホログラムのパターン１０６ａと左目用のホログラムのパターン１０６ｂが形成されている。これは、図１の符号１０４ａ、１０４ｂの場合と同じである。
【００４９】
（他の構成２）
図１、図４の例では、右目用の像と左目用の像を交互に配置された線状のパターンによって形成したが(ストライプ配置)、矩形状のドットパターンを交互に配置した市松模様（チェック柄）のパターン配置を採用することもできる。図５には、左右の像を構成するパターン配置の他の例を示す概念図である。
【００５０】
図５には、識別媒体５００を面に垂直な方向から見た状態が示されている。識別媒体５００は、図１の識別媒体１００と同じ断面構造とされている。ここで、符号５０１がλ／２板のパターンが存在する領域であり、符号５０２がλ／２板が存在しない領域である。この場合、符号５０１の領域の下に右目用のホログラムを構成するホログラム層の領域が配置されており、符号５０２の領域の下に左目用のホログラムを構成するホログラム層の領域が配置されている。
【００５１】
図２に示す状態と同じようにして、識別媒体５００を観察すると、市松模様に配置されたパターン５０１によって構成される右目用の像が右目で選択的に観察され、市松模様に配置されたパターン５０２によって構成される左目用の像が左目で選択的に観察される。そして、これら２つの像が視覚中枢で合成されることで、立体像の認識が行われる。
【００５２】
（他の構成３）
図６には、実施形態の識別媒体６００が示されている。識別媒体６００は、観察する側から、表面保護層６０１、λ／２板のパターン層６０２、コレステリック液晶層６０３、ホログラム形成層６０４、基板６０５、粘着層６０６と積層された構成を有している。
【００５３】
表面保護層６０１は、透過する偏光特性を乱さない光透過性のフィルムである。λ／２板のパターン層６０２は、λ／２板のパターン層１０１と同様なパターンの配置構造を有している。コレステリック液晶層６０３は、コレステリック液晶層１０３と同様に予め決められた旋回方向で、且つ、特定の中心波長を選択的に反射する。ホログラム形成層６０４は、コレステリック液晶層６０３に型押しされたホログラムを構成するエンボス模様であり、ホログラム形成層１０４と同じパターンの配置構造を有している。基板６０５は、光透過性の基板である。粘着層６０６は、黒や濃い色をした粘着材料の層である。
【００５４】
以下、識別媒体６００の製造方法の一例を説明する。まず、基板６０５の表面に配向処理とホログラム形成層６０４を得るための凹凸構造を付与する。そして、基板６０５の配向処理とホログラム用の凹凸構造が付与された面にコレステリック液晶層６０３を形成することで、コレステリック液晶層６０３と同時にホログラム形成層６０４を得る。なお、ホログラム形成層６０４の凹凸構造の周期を調整することによって、配向処理を兼ねることも可能である。
【００５５】
次に、コレステリック液晶層６０３の上面にλ／２板のパターン層６０２を転写によって貼り付ける。その後、表面保護層６０１と粘着層６０６を設けて、識別媒体６００を得る。
【００５６】
（他の構成４）
図７には、他の実施形態の識別媒体７００が示されている。識別媒体７００は、識別媒体１００と同様に、観察が行われる側から、λ／２板のパターン層１０１、透明基板１０２、コレステリック液晶層１０３、コレステリック液晶層１０３に形成されたエンボス構造により構成されたホログラム形成層(ホログラム干渉層)１０４、粘着層１０５と積層された構造を有している。
【００５７】
識別媒体７００は、識別媒体１００とホログラム形成層１０４のパターンの構造が異なっている。以下、この点について説明する。識別媒体７００では、ホログラム形成層１０４が、線状のパターン１１、１２、１３、１４からなるストライプパターン群１０を備えている。ストライプパターン群１０は、繰り返し配置されている。
【００５８】
この例では、線状のパターン１１は、視線の角度０度から見た場合に認識される右目用のホログラム像を構成する。線状のパターン１２は、視線の角度０度から見た場合に認識される左目用のホログラム像を構成する。線状のパターン１３は、視線の角度３０度から見た場合に認識される右目用のホログラム像を構成する。線状のパターン１４は、視線の角度３０度から見た場合に認識される左目用のホログラム像を構成する。そして、パターン１１と１２の組み合わせにより、第１の立体像が構成され、パターン１３と１４の組み合わせにより、第１の立体像とは異なる第２の立体像が構成されるようにされている。なお、視線の角度は、識別媒体の面に対して垂直な方向となす角度として定義される。
【００５９】
この例によれば、図２に示すような光学フィルタを介した観察において、視線の角度０度では、第１の立体像が認識され、視線の角度３０度では、第２の立体像が認識される。つまり、識別媒体を傾けることで、立体像が変化する（あるいは切り替わる）状態を観察することができる。この現象を利用すると、識別媒体７００を傾けると、立体像が回転するかのような視覚効果が得られる。また、識別媒体７００を傾けると、別の立体像に切り替わる視覚効果が得られる。
【００６０】
ここでは、２つの視線の角度に対して立体像を用意する例を説明したが、さらに多くの視線の角度に対して立体像を用意した構成とすることもできる。
【００６１】
（他の構成５）
図７の同様な視覚効果を得る方法として、図１に示す構成におけるパターン１０４ａおよび１０４ｂの一つを更にストライプ状に分離し、右目用のホログラム像と左目用のホログラム像を複数用意する方法が挙げられる。この場合、図１のパターン１０４ａがストライプ上に分割され、そこに複数の角度用のホログラムが用意される。また、図１のパターン１０４ｂがストライプ上に分割され、そこに複数の角度用のホログラムが用意される。
【００６２】
（他の構成６）
図１には、第１の像を右目用とし、第２の像を左目用とし、立体像を観察可能とする例が記載されているが、第１の像を数字、第２の像をアルファベット文字としてもよい。この場合、当該識別媒体を直視すると、数字とアルファベット文字が同時に見え、右円偏光フィルタを介して当該識別媒体を観察すると、数字のみが見え、左円偏光フィルタを介して当該識別媒体を観察すると、アルファベット文字のみが見える。この見え方の変化を利用することで、識別が行われる。
【００６３】
ここで、数字とアルファベット文字の組み合わせを示したが、数字と図柄の組み合わせ、アルファベット文字と図柄の組み合わせ、異なる図柄の組み合わせを採用することもできる。
【００６４】
（他の構成７）
第１の立体像を識別に利用する形態において、直視した場合に像が２重にぶれて見えてしまう現象を緩和した例を以下に説明する。図８は、本実施形態の識別媒体の見え方を概念図である。図８（Ａ）には、識別媒体８００が示されている。識別媒体８００は、図１に例示した断面構造を有し、コレステリック液晶層は、左円偏光を選択的に反射する設定とされている。また、コレステリック液晶層には、以下に説明する左右のホログラム像とダミーホログラムが形成されている。
【００６５】
図８（Ａ）には、右目用のホログラム像８０１とダミーホログラム８０２が示されている。なお、図８（Ａ）では、左目用のホログラム像は図示省略されている。ホログラム像８０１およびダミーホログラム８０２は、同じ様に反射光が観察される形態とされ（図８（Ａ）では、区別が付く模様とされている）、λ／２板を介して観察される構造とされている。
【００６６】
ホログラム像８０１を右目で視認している状態において、ダミーホログラム８０２は、右目からは見えず（見え難く）、左目で視認し易いホログラムとされている。すなわち、ホログラム像８０１を右目で視認している状態において、ダミーホログラム８０２は、右目では像を結像せず、左目において結像するホログラムとされている。
【００６７】
一方において、図８（Ｂ）に示すように左目用のホログラム像８０３が、図８（Ａ）の右目用のホログラム像８０１とややずれた位置関係で構成されている。左目用のホログラム像８０３は、ホログラム像８０１を右目で観察している状態で、左目で結像するホログラム像であり、λ／２板を介さずに観察される。
【００６８】
この構成によれば、円偏光フィルタを利用せずに識別媒体８００を直接観察する際、右目を右目用のホログラム８０１に視点を合わせ、左目を左目用のホログラム８０３に視点を合わせる。この場合、右目で右目用のホログラム像８０１が見え、左目でダミーホログラム８０２が見える。ホログラム像８０１とダミーホログラム８０２は、ネガポジの様に同じ模様とされているので、両者が同時に認識されることで、ホログラム像８０１がダミーホログラム８０２と一緒に見え、両者の区別が付き難くなる。つまり、識別媒体８００を直視した場合、ホログラム像８０１は、認識し難くなる。このため、直視した場合、図８（Ｂ）の符号８０４で示すように、一様なホログラム像が認識され、右目用のホログラム像８０１は、観察されない（あるいは、観察し難い）。
【００６９】
一方、直視した場合であっても、左目において、左目用のホログラム８０３は見えるので、左目用のホログラム像８０３は視認できる。このため、光学フィルタを介さずに識別媒体８００を直視した場合、図８（Ｂ）に示すように左目用のホログラム像８０３が優先的に認識され、像がぶれて見える現象が緩和される。
【００７０】
次に、右目の前に右旋回円偏光を選択的に透過する右円偏光フィルタを配置し、左目の前に左旋回円偏光を選択的に透過する左円偏光フィルタを配置して識別媒体８００を観察する場合を説明する。
【００７１】
この場合、右目用のホログラム像８０１からは、λ／２板を透過する関係で右旋回円偏光が反射される。この点は、ダミーホログラム８０２も同じである。この際、右円偏光フィルタを介して右目用のホログラム像８０１からの像を右目で観察している状態において、ダミーホログラム８０２からの反射光は、右目では視認されない（あるいは視認し難い）。これは、右目用のホログラム像８０１が右目で結像している状態では、ダミーホログラム８０２は、右目で結像せず、左目で結像するように設定されているからである。一方、左目は、左円偏光フィルタを介して、識別媒体８００を見ているから、ダミーホログラム８０２からの右旋回円偏光の反射光は、この左円偏光フィルタで遮断され左目には届かない。つまり、この状態において、ダミーホログラム８０２は、左目で見えない。
【００７２】
従って、右目で右目用のホログラム像８０１が選択的に見え、左目で左目用のホログラム像８０３が選択的に見え、ダミーホログラム８０２は両目で見えない。これにより、図８（Ｃ）に示す立体像８０５が認識される。このように本実施形態に示すダミーホログラム８０２を用いることで、直視した場合に、像がぶれて見えてしまう現象が緩和され、且つ、光学フィルタを用いた観察において、ダミーホログラムを認識せずに立体像を観察することができる識別媒体が提供される。
【００７３】
以上述べたように、上記の例では、右目用のホログラム像８０１は、右目で結像し、更に、ホログラム像８０１からの反射光と同じ旋回方向(右旋回方向)の円偏光を当該識別媒体８００の外部に反射し、且つ、右目で結像せず左目で結像するダミーホログラム８０２がコレステリック液晶層（図１の符号１０３に相当）に形成されている。なお、「ホログラム像８０１からの反射光と同じ旋回方向(右旋回方向)の円偏光を当該識別媒体８００の外部に反射し、且つ、右目で結像せず左目で結像するダミーホログラム８０２」というのは、識別媒体８００を外部から観察した際に、ダミーホログラム８０２からの反射光が、ホログラム像８０１からの反射光と同じ旋回方向の円偏光であり、更にダミーホログラム８０２からの反射光が右目で結像せず左目で結像するホログラム像を構成していることをいう。
【００７４】
ここでは、直視した場合に、右目用のホログラム像を左目で見えるダミーホログラムにより、見え難くすることで、像のぶれを抑える構成を説明したが、ダミーホログラムを左目用のホログラム像に適用することもできる。また、左右のホログラム像に同時にダミーホログラムを適用することもできる。左右のホログラム像にダミーホログラムを適用した場合、直視では、像が見え難く、右目の前に右円偏光フィルタを配置し、左目の前に左円偏光フィルタを配置した状態で観察すると、立体像が浮かび上がって見える識別媒体が得られる。
【００７５】
（他の構成８）
他の構成７の変形として、ダミーホログラム８０２をλ／２板を介さずに観察する構成としてもよい。この場合、ダミーホログラム８０２と右目用のホログラム像８０１が同時に右目で結像し、左目用のホログラム像８０３を左目で見ている状態で、ダミーホログラム像８０２が左目で結像しない構成とする。
【００７６】
この場合、識別媒体８００を直視すると、右目でダミーホログラム８０２と右目用のホログラム像８０１が同時に見え、両ホログラムが同時に見えるので、図８（Ｂ）に示すように右目用のホログラム像８０１が認識でできない(認識し難い)。また、左目は、左目用のホログラム像８０３を視認する。更に、この状態でダミーホログラム像８０２が左目で結像しないので、ダミーホログラム８０２は、左目では見えない(見え難い)。
【００７７】
一方、右目の前に右円偏光フィルタを配置し、左目の前に左円偏光フィルタを配置した状態で識別媒体８００を観察すると、ダミーホログラム８０２からの反射光は、λ／２波長を透過しないので、左旋回円偏光であり、右目には届かず、右目では見えない（あるいは見え難い）。また、左目でホログラム像８０３が結像する状態において、ダミーホログラム８０２は、左目で結像しないので、ダミーホログラム８０２は左目で見えない（あるいは見え難い）。一方、右目用ホログラム像は、右目で選択的に視認され、左目用ホログラム像は、左目で選択的に視認される。
【００７８】
この場合も、直視した場合に、像がぶれて見えてしまう現象が緩和され、且つ、光学フィルタを用いた観察において、ダミーホログラムを認識せずに立体像を観察することができる識別媒体が提供される。
【００７９】
以上述べたように、上記の例では、右目のホログラム像８０１は、右目で結像し、更に、右目用のホログラム像８０１からの反射光と逆の旋回方向の円偏光を当該識別媒体８００の外部に反射し、且つ、右目で結像し左目で結像しないダミーホログラム８０２がコレステリック液晶層（図１の符号１０３に相当）に形成されている。なお、「右目用のホログラム像８０１からの反射光と逆の旋回方向の円偏光を当該識別媒体８００の外部に反射し、且つ、右目で結像し左目で結像しないダミーホログラム８０２」というのは、識別媒体８００を外部から観察した際に、ダミーホログラム８０２からの反射光が、ホログラム像８０１からの反射光と逆の旋回方向の円偏光であり、更にダミーホログラム８０２からの反射光が右目で結像し、左目で結像しないホログラム像を構成していることをいう。
【産業上の利用可能性】
【００８０】
本発明は、真贋の識別を行うための技術に利用することができる。
【符号の説明】
【００８１】
１００…識別媒体、１０１…λ／２板、１０１ａ…λ／２板により構成された線状のパターン、１０２…透明基板、１０３…コレステリック液晶層、１０４…ホログラム形成層、１０４ａ…右目用のホログラム形成層のパターン、１０４ｂ…左目用のホログラム形成層のパターン、１０５…粘着層、２０１…右目、２０２…左目、２０３…右旋回円偏光を選択的に透過する右円偏光フィルタ、２０４…左旋回円偏光を選択的に透過する左円偏光フィルタ。
【図１】
2011102843.tif 000003
【図２】
2011102843.tif 000004
【図３】
2011102843.tif 000005
【図４】
2011102843.tif 000006
【図５】
2011102843.tif 000007
【図６】
2011102843.tif 000008
【図７】
2011102843.tif 000009
【図８】
2011102843.tif 000010